(57)【要約】【課題】複数の情報処理サーバと、デジタルページ検索用の特別な情報処理ソフトウェアを備えた少なくとも一つのクライアント端末とを含んで、権利管理システムと一つまたは複数のネットワークオペレータとの少なくとも２個の異なるエンタティを接続する情報ネットワークの操作方法を得る。【解決手段】この方法は、一方が前記ネットワークのデジタル証明書である２個のデジタル文書に権利管理システムがルートキーで署名して、情報ネットワークを初期化する事前ステップと、特に、サーバリストＬ１を取得し、前記サーバリストＬ１を含むデジタル文書を記録し、ネットワークオペレータがネットワークキーでこのデジタル文書に署名する、ネットワークのトポロジーの識別ステップと、アドレス取得サーバ（いわゆるルックアップサーバ）によるアドレス解決ステップと、アドレスパラメータに明記された一つまたは複数のサーバに収容される情報処理オブジェクトを、前記特別なソフトウェアを用いて検索するステップとを含んでおり、情報ネットワークの初期化ステップのデジタル証明書は、行政関係の情報と、ユーザがネットワークにアクセスできるようにする技術関係の情報とを含み、技術関係の情報は、特に、ネットワークキーの公開部分を含む。本発明は、また、この方法を実施するシステムに関する。【選択図】図１【特許請求の範囲】
【請求項１】
複数の情報処理サーバと、デジタルページ検索用の特別な情報処理ソフトウェアを備えた少なくとも一つのクライアント端末とを含んで、権利管理システムと一つまたは複数のネットワークオペレータとの少なくとも２個の異なるエンタティを接続する情報ネットワークの操作方法であって、
・一方が前記ネットワークのデジタル証明書で、他方が前記ネットワークのデジタル証明書にアクセス可能にするデジタルページへのリンクを含む文書である２個の文書に、権利管理システムがルートキーで署名し、情報ネットワークを初期化する事前ステップと、
・−サーバリストＬ１を取得し、
−ネットワークオペレータがネットワークキーで署名した、前記サーバリストＬ１を含むデジタル文書を記録し、
−前記リストＬ１の各サーバに、特に処理容量を示す係数を割り当てる、
ネットワークのトポロジーの識別ステップと、
・エラー管理用の文書と、アドレスパラメータを含む文書との二つのデジタル文書に、ネットワークオペレータがネットワークキーで署名して実施される、アドレス取得サーバ（いわゆるルックアップサーバ）によるアドレス解決ステップと、
・アドレスパラメータに明記された一つまたは複数のサーバに収容される情報処理オブジェクトを、前記特別なソフトウェアを用いて検索するステップとを含んでおり、
・情報ネットワークの初期化ステップのデジタル証明書が、行政関係の情報と、ユーザがネットワークにアクセスできるようにする技術関係の情報とを含み、技術関係の情報は、特に、ネットワークキーの公開部分を含むことを特徴とする方法。
【請求項２】
さらに、デジタルページ検索用の特別なソフトウェアをクライアントの端末に設置する事前ステップを含むことを特徴とする請求項１に記載の情報ネットワークの操作方法。
【請求項３】
さらに、デジタルページ検索用の特別なソフトウェアを端末で更新するステップを含み、この更新が、ステータスデジタル文書と更新デジタル文書とを用いて情報処理サーバにより管理され、権利管理システムがルートキーで前記文書に署名し、さらに、前記文書が、クライアントの端末のプラットフォームに固有であることを特徴とする請求項１または２に記載の情報ネットワークの操作方法。
【請求項４】
前記一つまたは複数の情報処理サーバが、ユーザの技術支援専用のサーバ（エイド：ａｉｄｅ）であることを特徴とする請求項１から３のいずれか一項に記載の情報ネットワークの操作方法。
【請求項５】
さらに、各サーバ間のロード分配機構（ロードバランシング：ｌｏａｄ  ｂａｌａｎｃｉｎｇ）を利用することを特徴とする請求項１から４のいずれか一項に記載の情報ネットワークの操作方法。
【請求項６】
サーバを利用できない場合、サービスの再割り当て機構（フェールオーバー：ｆａｉｌ  ｏｖｅｒ）を実施することを特徴とする請求項１から６のいずれか一項に記載の情報ネットワークの操作方法。
【請求項７】
アドレスパラメータの一つが、限定的ではなく例として、ユーザの年齢に応じてデジタルページの検索許可を管理する（未成年者保護用のデジタルフィルタ）ために、対応するデジタルページのコンテンツを考慮したフィルタリングデジタルインジケータであることを特徴とする請求項１から６のいずれか一項に記載の情報ネットワークの操作方法。
【請求項８】
前記オペレータのアクティビティは、公共ネットワーク、たとえばインターネットネットワークで行われることを特徴とする請求項１から７のいずれか一項に記載の情報ネットワークの操作方法。
【請求項９】
前記オペレータのアクティビティは、（たとえばＩＰタイプの）少なくとも一つの個人情報ネットワークで行われることを特徴とする請求項１から８のいずれか一項に記載の情報ネットワークの操作方法。
【請求項１０】
デジタル文書が、ＸＭＬに適合するフォーマットを有することを特徴とする請求項１から９のいずれか一項に記載の情報ネットワークの操作方法。
【請求項１１】
クライアント端末の特別なソフトウェアが、識別段階で様々なネットワークを区別し、様々な情報ネットワークを同時に使用可能にすることを特徴とする請求項１から１０のいずれか一項に記載の情報ネットワークの操作方法。
【請求項１２】
権利管理システムが、複数の権利管理システムに分解されることを特徴とする請求項１から１１のいずれか一項に記載の情報ネットワークの操作方法。
【請求項１３】
必ずしもというわけではないが、例として、クライアント端末での検索用に、前記特別なソフトウェアでキャッシュメモリを使用することを特徴とする請求項１から１２のいずれか一項に記載の情報ネットワークの操作方法。
【請求項１４】
前記キャッシュメモリが、所定の事象に対しての相対的な有効期間と、所与の満了日に対応する絶対的な有効期間との二つの有効期間を有することを特徴とする請求項１３に記載の操作方法。
【請求項１５】
前記事象が、前記デジタル文書のローディングであることを特徴とする請求項１４に記載の操作方法。
【請求項１６】
前記サーバリストＬ１が、さらに、前記サーバの地理的な位置を示すインジケータを含むことを特徴とする請求項１から１５のいずれか一項に記載の情報ネットワークの操作方法。
【請求項１７】
情報ネットワークの初期化ステップが自動的に行われ、前記デジタル証明書によってのみ実施されることを特徴とする請求項１から１６のいずれか一項に記載の情報ネットワークの操作方法。
【請求項１８】
自動的に行われる情報ネットワークの初期化ステップが、所与のアドレスを使用することを特徴とする請求項１７に記載の情報ネットワークの操作方法。
【請求項１９】
ネットワークのトポロジーの識別ステップでは、権利管理システムがネットワークキーでデジタル文書に署名し、その場合、権利管理システムが前記ネットワークキーを保存することを特徴とする請求項１から１８のいずれか一項に記載の情報ネットワークの操作方法。
【請求項２０】
アドレス解決ステップでは、権利管理システムがネットワークキーでデジタル文書に署名し、その場合、権利管理システムが前記ネットワークキーを保存することを特徴とする請求項１から１９のいずれか一項に記載の情報ネットワークの操作方法。
【請求項２１】
さらに、ネットワークキーで所定の文字列の署名を供給することにより、ネットワークキーの公開部分を確定するステップを含むことを特徴とする請求項１から２０のいずれか一項に記載の情報ネットワークの操作方法。
【請求項２２】
各デジタル文書が、一部は権利管理システムにより、一部はネットワークオペレータにより決定される単一の識別子を有することを特徴とする請求項１から２１のいずれか一項に記載の情報ネットワークの操作方法。
【請求項２３】
各デジタル文書に対して、署名が文書に含まれることを特徴とする請求項１から２２のいずれか一項に記載の情報ネットワークの操作方法。
【請求項２４】
各デジタル文書に対して、署名が文書により照合され、文書に含まれないことを特徴とする請求項１から２３のいずれか一項に記載の情報ネットワークの操作方法。
【請求項２５】
アドレスパラメータは、コンテンツにアクセスするためにユーザを認証すべきか否か、また、認証が必要な場合はどのような手段により実施すべきかを決定することを特徴とする請求項１から２４のいずれか一項に記載の情報ネットワークの操作方法。
【請求項２６】
アドレスパラメータが、公開されるコンテンツのフォーマットを決定することを特徴とする請求項１から２５のいずれか一項に記載の情報ネットワークの操作方法。
【請求項２７】
様々な情報ネットワークのアドレス表示に、異なる色を使用可能であることを特徴とする請求項１から２６のいずれか一項に記載の情報ネットワークの操作方法。
【請求項２８】
アドレスパラメータを含むデジタル文書（ルックアップ文書）が、さらに、コンテンツサーバを認証するための証明書を含むことを特徴とする請求項１から２７のいずれか一項に記載の情報ネットワークの操作方法。
【請求項２９】
請求項１から２８のいずれか一項に記載の操作方法に従って操作される情報ネットワークにおける少なくとも二つの設備のデジタル通信方法であって、前記方法の少なくとも一つのステップのときに、２個の設備の間で交換されるデジタルデータは、ネットワーク名に対応するヘッダと、コンテンツの作成者が決定した記述子とをフォーマットが有する少なくとも一つのアドレスを含むことを特徴とする方法。
【請求項３０】
当該方法のステップが、アドレス解決ステップであることを特徴とする請求項２９に記載のデジタル通信方法。
【請求項３１】
複数の情報処理サーバと、デジタルページ検索用の特別なソフトウェアを備えた少なくとも一つのクライアント端末とを含んで、権利管理システムと少なくとも一つのネットワークオペレータとの少なくとも二つの異なるエンタティを接続することにより、前記ネットワークが、請求項１から２８のいずれか一項に記載の操作方法を実施するようにした、情報ネットワークの操作システム。
【発明の詳細な説明】
【技術分野】
【０００１】
本発明は、情報通信技術の分野に関する。
【０００２】
本発明は、特にコンテンツの公開の分野に関する。
【背景技術】
【０００３】
従来技術では、国際公開第０１／９５１４７号パンフレット（ＳＴＧ  Ｉｎｔｅｒａｃｔｉｖｅ  ＳＡ）から、情報ネットワークに接続されるサーバと、前記情報ネットワークに接続される複数のホスト端末とを含むマルチメディアデータ公開システムが既に知られており、前記サーバは、マルチメディアページの記述子を含むデジタルファイルが記録されたデータベースと、前記データベースを管理するとともにホスト端末との交換を管理するソフトウェアとを含み、ホスト端末は、サーバのデータベースからダウンロードされたデジタルファイルを一時的に記録するＲＡＭと、ダウンロードされたページの記述子に応じてファイルを視覚的に表示する特別な検索ソフトウェアとを備えており、少なくとも幾つかのデジタルファイルが、少なくとも二つの表示モードの記述子を含むことを特徴とする。
【０００４】
また、ＦＤＳＬ言語（Ｆｒｏｇａｎｓ  Ｓｌｉｄｅ  Ｄｅｓｃｒｉｐｔｉｏｎ  Ｌａｎｇｕａｇｅ）や、コンテンツを展開して公開し、Ｆｒｏｇａｎｓ（ＳＴＧ  Ｉｎｔｅｒａｃｔｉｖｅ  ＳＡの登録商標）タイプの情報処理オブジェクトを操作可能な使いやすいＸＭＬ言語がよく知られている。
【０００５】
情報ネットワークの利用と管理における基本的な技術問題は、サーバのトポロジーの識別と、アドレス解決とにある。
【０００６】
従来のＤＮＳ（Ｄｏｍａｉｎ  Ｎａｍｅ  Ｓｙｓｔｅｍ）は、多年にわたってその信頼性と堅牢性とを示してきた。しかしながら、このシステムは、特にコンテンツの記述とそれらのアクセシビリティとに関して、進んだ機能をシステムに容易に付加できるようには設計されていない。その主要機能は、アドレス解決（ルックアップ）に留まる。
【０００７】
本発明は、コンテンツの公開に適し、中でも情報処理オブジェクトの検索に特に適した情報ネットワーク利用のための技術的な方法を提案することにより、従来技術の不都合を解消しようとするものである。この方法および関連システムは、従来技術で知られているものに比べて多数の長所を有する。特に、本発明による方法は、多数の進んだ機能を有する。
【０００８】
従来のデジタルファイルの公開システム（たとえばＷｅｂタイプ）の構成は、自由かつ曖昧で殆ど無秩序であるが、本発明による方法は、明白な照合と、コンテンツの正確なネーミングとが得られる。本発明による方法を用いた情報ネットワークの使用は、メディアに対して、それらが公開するコンテンツと、このコンテンツの配布とをよりよく管理する能力を提供する。たとえば、ユーザは、予めサーバから特別な検索ソフトウェアにコンテンツをロードしなくても、このコンテンツの記述ファイルにアクセスできるので、ネットワークのリソースが最適化される。
【発明の開示】
【発明が解決しようとする課題】
【０００９】
最初に、本発明の非常に重要な、少なくとも三つの次のような長所を区別できる。
【００１０】
・ユーザにとってのアクセシビリティ
記述子は、たとえば、コンテンツがオンラインにあるか、アダルト専用のコンテンツから未成年者を保護するフィルタがあるかどうか、また、コンテンツにアクセスするためにユーザの認証が必要かどうか、その場合はどのような方法で、といったことを示すことができる。
【００１１】
・サーバへの接続
記述子は、たとえば、接続プロトコル（ｈｔｔｐ．．．）と基準ファイル（ｈｏｍｅ−ｓｌｉｄｅ）とを示すことができる。
【００１２】
・コンテンツのフォーマット
記述子は、たとえば、使用される公開言語のバージョンと、エンコードフォーマットとを示すことができる。
【００１３】
さらに、本発明による方法は、キャッシュメモリを最適に管理し、ネットワークのトラフィックを減らしてアクセス時間を改善することができる。
【００１４】
このように、本発明による方法は、エンドユーザにとって非常に快適である。何故なら、この方法は、ごく簡単で、きわめて一貫性があり、人間工学性に優れ、技術的に複雑なパラメータ化を必要としないからである。本発明は、また、ネットワークの管理者に多くの利点をもたらす。何故なら、本発明は、ユーザからの要求が少ないので、ずっと有効で高度なタスクに集中できるからである。本発明は、生産性、性能、業務上の満足度に関して、ネットワークの管理者に著しい利得をもたらす。
【００１５】
しかも、本発明は、権利管理システムに、情報ネットワークのオペレータをチェックさせる。権利管理システムは、ルートキーと呼ばれるデジタルキーでネットワークを管理する可能性を委任する。その後、ネットワークのオペレータは、ネットワークキーと呼ばれる別のデジタルキーでネットワークを管理する。
【００１６】
さらに、従来技術では、情報ネットワークを介して公開されたコンテンツの署名しか得られなかったが、本発明による方法では、情報ネットワークの操作機能全体の署名を得られる。
【課題を解決するための手段】
【００１７】
このため、本発明は、その最も広い意味において、複数の情報処理サーバと、デジタルページ検索用の特別な情報処理ソフトウェアを備えた少なくとも一つのクライアント端末とを含んで、権利管理システムと一つまたは複数のネットワークオペレータとの少なくとも２個の異なるエンタティを接続する情報ネットワークの操作方法に関し、この方法は、
・一方が前記ネットワークのデジタル証明書で、他方が、前記ネットワークのデジタル証明書にアクセス可能なデジタルページへのリンクを含む文書である２個の文書に、権利管理システムがルートキーで署名し、情報ネットワークを初期化する事前ステップと、
・−サーバリストＬ１を取得し、
−ネットワークオペレータがネットワークキーで署名した、前記サーバリストＬ１を含むデジタル文書を記録し、
−前記リストＬ１の各サーバに特に処理容量を示す係数を割り当てる、
ネットワークのトポロジーの識別ステップと、
・エラー管理用の文書と、アドレスパラメータを含む文書との二つのデジタル文書に、ネットワークオペレータがネットワークキーで署名して実施される、アドレス取得サーバ（いわゆるルックアップサーバ）によるアドレス解決ステップと、
・アドレスパラメータに明記された一つまたは複数のサーバに収容される情報処理オブジェクトを、前記特別なソフトウェアを用いて検索するステップとを含んでおり、
・情報ネットワークの初期化ステップのデジタル証明書が、行政関係の情報と、ユーザがネットワークにアクセスできるようにする技術関係の情報とを含み、技術関係の情報が、特に、ネットワークキーの公開部分を含むことを特徴とする。
【００１８】
好適には、この方法が、さらに、デジタルページ検索用の特別なソフトウェアをクライアントの端末に設置する事前ステップを含む。
【００１９】
有利には、この方法が、さらに、デジタルページ検索用の特別なソフトウェアをクライアント端末で更新するステップを含み、この更新が、ステータスデジタル文書と更新デジタル文書とにより情報処理サーバにより管理され、権利管理システムがルートキーで前記文書に署名し、さらに、前記文書が、クライアントの端末のプラットフォームに固有である。
【００２０】
好適な変形実施形態によれば、一つまたは複数の前記情報処理サーバが、ユーザの技術支援専用のサーバ（エイドａｉｄｅ）である。
【００２１】
特に有利な変形実施形態によれば、各サーバ間のロード分配機構（ロードバランシングｌｏａｄ  ｂａｌａｎｃｉｎｇ）を利用する。
【００２２】
好適な実施形態によれば、この方法は、サーバを利用できない場合、サービスの再割り当て機構（フェールオーバーｆａｉｌ  ｏｖｅｒ）を実施する。
【００２３】
好適な変形実施形態によれば、アドレスパラメータの一つは、限定的ではなく例として、ユーザの年齢に応じてデジタルページの検索許可を管理する（未成年者保護用のデジタルフィルタ）ために、対応するデジタルページのコンテンツを考慮したフィルタリングデジタルインジケータである。
【００２４】
特定の実施形態によれば、前記オペレータのアクティビティは、公共ネットワーク、たとえばインターネットネットワークで行われる。
【００２５】
特定の別の実施形態によれば、前記オペレータのアクティビティは、（たとえばＩＰタイプの）少なくとも一つのプライベート情報ネットワークで行われる。
【００２６】
好適には、デジタル文書が、ＸＭＬに適合するフォーマットを有する。
【００２７】
有利には、クライアント端末の特別なソフトウェアが、識別段階で様々なネットワークを区別し、様々な情報ネットワークを同時に使用可能にする。
【００２８】
特定の変形実施形態によれば、権利管理システムが、複数の権利管理システムに分解される。
【００２９】
有利には、必ずしもというわけではないが、例として、クライアント端末での検索用に、前記特別なソフトウェアでキャッシュメモリを使用する。
【００３０】
好適には、前記キャッシュメモリが、所定の事象に対しての相対的な有効期間と、所与の満了日に対応する絶対的な有効期間との二つの有効期間を有する。
【００３１】
特定の実施形態によれば、前記事象が、前記デジタル文書のローディングである。
【００３２】
特に有利な実施形態によれば、前記サーバリストＬ１が、さらに、前記サーバの地理的な位置を示すインジケータを含む。
【００３３】
特定の変形実施形態によれば、情報ネットワークの初期化ステップが自動的に行われ、前記デジタル証明書によってのみ実施される。
【００３４】
特定の実施形態によれば、自動的に行われる情報ネットワークの初期化ステップが、所与のアドレスを使用する。
【００３５】
変形実施形態によれば、ネットワークのトポロジーの識別ステップで、権利管理システムがネットワークキーでデジタル文書に署名し、その場合、このネットワークキーが、権利管理システムにより保存される。
【００３６】
実施形態によれば、アドレス解決ステップで、デジタル文書がネットワークキーで権利管理システムにより署名され、その場合、前記権利管理システムがネットワークキーを保存する。
【００３７】
有利には、この方法が、さらに、ネットワークキーで所定の文字列の署名を供給することにより、ネットワークキーの公開部分を確定するステップを含む。
【００３８】
好適には、各デジタル文書が、一部は権利管理システムにより、一部はネットワークオペレータにより決定される単一の識別子を有する。
【００３９】
第一の変形実施形態によれば、各デジタル文書に対して、署名が文書に含まれる。
【００４０】
第二の変形実施形態によれば、各デジタル文書に対して、署名が文書により照合され、文書に含まれない。
【００４１】
好適な実施形態によれば、アドレスパラメータは、コンテンツにアクセスするためにユーザを認証すべきか否か、また、認証が必要な場合はどのような手段により実施すべきかを決定する。
【００４２】
有利には、アドレスパラメータが、公開されるコンテンツのフォーマットを決定する。
【００４３】
特に有利な変形実施形態によれば、様々な情報ネットワークのアドレス表示に、異なる色を使用可能である。
【００４４】
好適な変形実施形態によれば、アドレスパラメータを含むデジタル文書（ルックアップ文書）が、さらに、コンテンツサーバを認証するための証明書を含む。
【００４５】
さらに、本発明は、上記の操作方法に従って操作される情報ネットワークにおける少なくとも二つの設備のデジタル通信方法に関し、前記方法の少なくとも一つのステップのときに、２個の設備の間で交換されるデジタルデータが、ネットワーク名に対応するヘッダと、コンテンツの作成者により決定される記述子とをフォーマットが有する少なくとも一つのアドレスを含むことを特徴とする。
【００４６】
好適な変形実施形態によれば、当該方法のステップが、アドレス解決ステップである。
【００４７】
さらに、本発明は、また、複数の情報処理サーバと、デジタルページ検索用の特別なソフトウェアを備えた少なくとも一つのクライアント端末とを含んで、権利管理システムと少なくとも一つのネットワークオペレータとの少なくとも二つの異なるエンタティを接続する、情報ネットワーク操作システムに関する。
【００４８】
以下、添付図面に関して単に例として挙げた本発明の実施形態により、本発明がいっそう理解されるであろう。
【発明を実施するための最良の形態】
【００４９】
本発明による方法は、図１に示したシステムで実施される。コンテンツの検索用の特別なソフトウェアが、クライアント端末に設置される。情報交換は、このソフトウェアと各サーバとの間で実施される。こうした構成は、検討可能な唯一の構成というわけではない。すなわち、異なる機能を単一のサーバにまとめることもできる。最終的な目的は、専用サーバに収容されるコンテンツの検索である。この検索は、アドレスのパラメータに依存するものであって、クライアント端末に設置された前記特別なソフトウェアを用いて行われる。
【００５０】
図１において、インジケータ「Ｃ−ＲＡ」は、文書がルートキーで署名されることを示し、インジケータ「Ｃ−ＲＥ」は、文書がネットワークキーで署名されることを示す。
【００５１】
本発明の実施形態では、ネットワークの初期化に必要なデジタル証明書が、以下のフィールドを含む。
【００５２】
・情報ネットワークの名称
・単一の識別子
・相対的な有効期間
・満了日
・オペレータ名
・オペレータのアドレス
・タイプ、説明、参照符号、満了日、ライセンスの提供者
・支援ｗｅｂサイトへのＵＲＬ
・アドレスの色と、情報ネットワークのアドレスの背景の色
・「証明書」、「トポロジー」、「ステータス」といったデジタル文書の場所
・公開キーの長さと公開者（ＲＳＡタイプの暗号化）
・ネットワークキーの公開部分と、このキーの「確認指紋」
最後に、ルートキーによる文書の署名
【００５３】
本発明の実施形態では、ルックアップ（アドレス解決）ファイルは、以下のフィールドを含む。
【００５４】
・情報ネットワークの名称
・デジタル識別子
・相対的な有効期間
・満了日
・公開されるコンテンツのアドレス
・オンラインまたは非オンラインによるコンテンツの指示
・フィルタリングの指示（例：アダルト専用コンテンツまたは非アダルトコンテンツ）
・アドレスの満了日
・ユーザの認証モードに関する指示
・接続プロトコルの記述子
・コンテンツの場所
・基準ファイルの場所（ｈｏｍｅ−ｓｌｉｄｅ）
・コンテンツの公開言語のバージョンとエンコード
・テーマ別、グループ別、種類別の列へのコンテンツの属性に関する指示
最後に、ルートキーによる文書の署名
【００５５】
必要に応じて行われるクライアント端末の特別なソフトウェアの更新ステップは、ステータス文書と更新文書との二つのデジタル文書を介在させる。
【００５６】
ステータス（ｓｔａｔｕｓ）デジタル文書は、アクティビティにおけるソフトウェアのバージョンをリストアップし、更新（ｕｐｄａｔｅ）デジタル文書は、ソフトウェアの最新バージョンを含む。
【００５７】
ステータスファイルには、次のような異なる三つの状態が与えられる。
【００５８】
−更新（ＯＫ）
−満了日が近い（更新の勧め）
−期限切れ（更新が必要）
【００５９】
特別なソフトウェアからネットワークのアドレスを再び開く場合、証明書が期限切れであるかどうか、トポロジーが期限切れであるかどうか、次いでキャッシュメモリのルックアップが期限切れであるかどうかに応じて、一定のステップだけを実行する。
【００６０】
表１、２は、委任を行う一般的な場合と、委任を行わない場合とで、「誰がどの文書にどんなキーで署名するか」を示している。
【００６１】
【表１】
2007518330.tif 000002
【００６２】
【表２】
2007518330.tif 000003
【００６３】
図２、３では、公開ネットワークの場合、次いで、個人ネットワークの場合に、上記文書を収容するサーバとユーザ端末との間の文書交換フローを示した。もちろん、他にも多数の構成が考えられ、幾つかのフローは、たとえば遮断可能である。
【００６４】
図２、３では、フロー１が、セットアップ文書と証明文書のフロー、フロー２が、トポロジー文書とルックアップ／エラー文書のフロー、フロー３が、ステータス文書およびアップデート文書のフローである。
【００６５】
以上、本発明について例として説明した。当業者は、特許の範囲を逸脱せずに発明の様々な変形実施形態を実現可能である。
【図面の簡単な説明】
【００６６】
【図１】本発明による方法を実施するシステムの一例を示す図である。
【図２】権利管理システムと、ネットワークオペレータと、ユーザ端末の特別なソフトウェアとの間の文書交換フローを示す図である。
【図３】権利管理システムと、ネットワークオペレータと、ユーザ端末の特別なソフトウェアとの間の文書交換フローを示す図である。
【符号の説明】
【００６７】
１  セットアップ文書と証明文書のフロー
２  トポロジー文書とルックアップ／エラー文書のフロー
３  ステータス文書およびアップデート文書のフロー
【図１】
2007518330.tif 000004
【図２】
2007518330.tif 000005
【図３】
2007518330.tif 000006
【国際調査報告】
2007518330.tif 000007
2007518330.tif 000008
2007518330.tif 000009
2007518330.tif 000010
2007518330.tif 000011
2007518330.tif 000012